(57)【要約】【課題】  押し蓋の上面を押すだけで内容物を吐出可能とするとともに、保管中の内容物に空気が触れるのを抑制できる押し蓋付き軟質容器を提供すること。【解決手段】  上端部に開口部７を有する軟質容器Ａと、軟質容器Ａの外側に嵌められる外枠Ｂと、軟質容器Ａの開口部７に挿入され、軟質容器Ａを外枠Ｂと協働して挟み込む押し蓋Ｃとを備え、押し蓋Ｃは、内容物ｅの吐出口２２と、吐出口２２を閉塞する密封蓋Ｄとを有することを特徴とする。【選択図】  図１
2019131220.tif 000002
【特許請求の範囲】
【請求項１】
上端部に開口部を有する軟質容器と、
軟質容器の外側に嵌められる外枠と、
軟質容器の開口部に挿入され、軟質容器を外枠と協働して挟み込む押し蓋とを備え、
押し蓋は、内容物の吐出口と、吐出口を閉塞する密封蓋とを有することを特徴とする押し蓋付き軟質容器。
【請求項２】
軟質容器は、コーナー部分に側方シール部を有し、
外枠は、側方シール部を収容するスリットを有することを特徴とする請求項１に記載の押し蓋付き軟質容器。
【請求項３】
押し蓋は、軟質容器の開口部を覆う天板と、天板から垂下され、軟質容器の開口部に挿入される脚部とを有することを特徴とする請求項１または２に記載の押し蓋付き軟質容器。
【請求項４】
外枠は、側方に延設された外枠突部を有し、
押し蓋は、側方に延設された押し蓋突部を有することを特徴とする請求項１〜３のいずれかに記載の押し蓋付き軟質容器。
【請求項５】
外枠は、内側面に形成された係合部を有し、
押し蓋は、外側面に形成された被係合部を有することを特徴とする請求項１〜４のいずれかに記載の押し蓋付き軟質容器。
【発明の詳細な説明】
【技術分野】
【０００１】
本発明は、押し蓋付き軟質容器に関し、とくに、味噌等のペースト状の内容物を収納する押し蓋付き軟質容器に関するものである。
【背景技術】
【０００２】
味噌等のペースト状の内容物を収納する容器として、合成樹脂製のカップ状の容器本体の上端面を剥離可能に貼着させた内蓋（シール）と、該内蓋の上面を覆う外蓋とからなる蓋体で閉塞したカップ状容器が従来から知られている（例えば、特許文献１参照）。
【０００３】
また、ペースト状の食料品を収納するために、合成樹脂フィルム製のガゼット型の軟質容器が従来から使用されているが、このような軟質容器は、内容物の収納、取り出し時に内容物が袋口部内側に付着しやすいだけでなく、手等を汚すという問題を解消するために、フランジが形成されている硬質合成樹脂製枠の内側に、前記フランジと直角に取付部が形成され、該取付部の内側が開口部とされており、該開口部内に合成樹脂製袋が挿入され、かつ該袋の上縁外周が前記取付部内側に接着されている軟包装容器が従来から知られている（例えば、特許文献２参照）。  
【先行技術文献】
【特許文献】
【０００４】
【特許文献１】特開２００１−４８２８１号公報
【特許文献２】実公昭６１−３８００号公報
【発明の概要】
【発明が解決しようとする課題】
【０００５】
しかしながら、上記特許文献１記載のカップ状容器では、内蓋であるシールを剥離すると、外蓋で容器本体を閉塞しても内容物の表面が空気に触れているため、乾燥して固化してしまうという問題があった。
また、上記特許文献２記載の軟包装容器では、枠１のフランジ２表面にフラットなシール材を仮接着することにより、開袋した後でも、軟包装容器内を密封することができるものの、内容物の表面に空気が触れることを防止することができないという問題があった。
【０００６】
本発明は、上記問題を解決することを課題とし、押し蓋の上面を押すだけで内容物を吐出可能とするとともに、保管中の内容物に空気が触れるのを抑制できる押し蓋付き軟質容器を提供することを目的とする。
【課題を解決するための手段】
【０００７】
本発明は、上記の課題を解決するため、押し蓋付き軟質容器として、上端部に開口部を有する軟質容器と、軟質容器の外側に嵌められる外枠と、軟質容器の開口部に挿入され、軟質容器を外枠と協働して挟み込む押し蓋とを備え、押し蓋は、内容物の吐出口と、吐出口を閉塞する密封蓋とを有することを特徴とする構成を採用する。
【０００８】
押し蓋付き軟質容器の別実施形態として、軟質容器は、コーナー部分に側方シール部を有し、外枠は、側方シール部を収容するスリットを有することを特徴とする構成を採用し、また、押し蓋は、軟質容器の開口部を覆う天板と、天板から垂下され、軟質容器の開口部に挿入される脚部とを有することを特徴とする構成を採用する。
さらに、押し蓋付き軟質容器の外枠および押し蓋の具体的実施形態として、外枠は、側方に延設された外枠突部を有し、押し蓋は、側方に延設された押し蓋突部を有することを特徴とする構成を採用し、また、外枠は、内側面に形成された係合部を有し、押し蓋は、外側面に形成された被係合部を有することを特徴とする構成を採用する。
【発明の効果】
【０００９】
本発明の押し蓋付き軟質容器は、軟質容器を開封して押し蓋を取り付けることにより、押し蓋の上面を押すだけで吐出口から内容物を吐出することができ、吐出口から吐出した内容物を掬い取った後、吐出口に密封蓋を装着して保管すれば、内容物に空気が触れることが抑えられ、内容物の保存性を高めることができる。
【図面の簡単な説明】
【００１０】
【図１】本発明の実施例の押し蓋付き軟質容器の外観を示す斜視図である。
【図２】本発明の実施例の押し蓋付き軟質容器を部材ごとに分離した状態を示す斜視図である。
【図３】本発明の実施例の外枠を示す図であり、（ａ）は上面図、（ｂ）は（ａ）のＸ−Ｘ矢視断面図、（ｃ）は（ａ）のＹ−Ｙ矢視断面図である。
【図４】本発明の実施例の押し蓋を示す図であり、（ａ）は上面図、（ｂ）は後面図、（ｃ）は側面図である。
【図５】本発明の実施例の軟質容器に押し蓋を装着するために、外枠を嵌めた状態を示す斜視図である。
【図６】本発明の実施例の押し蓋付き軟質容器において、軟質容器を外枠と押し蓋とで挟み込んだ状態を示す図であり、（ａ）は正面断面図、（ｂ）は（ａ）の要部拡大図である。
【図７】本発明の実施例の押し蓋付き軟質容器の内容物が減少したときに内容物を押圧して上方に移動させた状態を示す斜視図である。
【発明を実施するための形態】
【００１１】
次に、本発明の押し蓋付き軟質容器について、実施例を示した図面を参照して説明する。
以下の説明において、図１の斜視図でみて、縦方向を「上下」、左下から右上方向を「前後」、左上から右下方向を「左右」とする。
【実施例】
【００１２】
図１および２において、Ａは上端部に開口部を有する軟質容器、Ｂは軟質容器Ａの外側に嵌められる外枠、Ｃは軟質容器Ａの開口部に挿入され、軟質容器Ａを外枠Ｂと協働して挟み込む押し蓋、Ｄは押し蓋Ｃに形成された吐出口を閉塞する密封蓋である。
【００１３】
軟質容器Ａは、薄肉のプラスチック製容器であって、当該容器を押圧した時に、形状がスムーズに変形することにより、容器全体が潰れるような形態の容器として定義される。
図２に示すように、本実施例の軟質容器Ａは、前後２枚の略矩形状の前面シート１および後面シート２と、これら前面シート１および後面シート２の左右の両端縁部に挟み込まれた左面シート３および右面シート４とによって、ガゼットタイプの袋として形成されている。
本実施例のように、軟質容器Ａの一形態として、袋状容器を採用することができる。
【００１４】
さらに、軟質容器Ａは、前面シート１および後面シート２と、左面シート３および右面シート４との積層部分の側端縁をヒートシールすることにより、平面視で、４つのコーナー部分が角張るように側方シール部５が形成され、また、前面シート１と後面シート２との積層部分の下端縁をヒートシールすることにより、底部に底シール部６が形成されている。
また、軟質容器Ａは、内容物ｅを充填後、前面シート１と後面シート２との上端部がヒートシールにより密封されているが、後述するように、使用時には、上部が開封され、開口部７が形成される。
【００１５】
図２および３に示すように、外枠Ｂは、前面枠部１１と、後面枠部１２と、左面枠部１３と、右面枠部１４とによって、平面視で長方形に形成されている。
また、各枠部１１〜１４同士の接合部には、それぞれ側方に延設された接合凸部１５が形成され、接合凸部１５の内側には、軟質容器Ａの側方シール部５を収容するスリット１６が形成されている。
さらに、各枠部１１〜１４の外側面には、外枠突部１７が外方に向けて延設されるとともに、内側面には、横方向に係合部としての係合凹部１８が形成されている。
【００１６】
図４に示すように、押し蓋Ｃは、平面視で長方形の平板状に形成された天板２１と、天板２１に形成された平面視で小判型の吐出口２２と、天板２１の下面周縁から内側に所定距離離れた箇所から垂下され、軟質容器Ａの開口部７に挿入される側周壁２３と、側周壁２３のコーナー部分から垂下された４本の脚部２４とから構成されている。
【００１７】
天板２１は、４辺の側面から外方にむけて押し蓋突部２５が形成され、側周壁２３の外側面には、外枠Ｂの係合凹部１８と係合する被係合部としての係合凸部２６が形成されている。
なお、本実施例では、外枠Ｂの係合部を係合凹部１８とし、押し蓋Ｃの被係合部を係合凸部２６としているが、外枠Ｂの係合部を凸部とし、押し蓋Ｃの被係合部を凹部としても構わない。
【００１８】
図２に示すように、密封蓋Ｄは、吐出口２２の形状に合致するように、平面視で小判型の頂壁３１と、頂壁３１の外周縁から垂下された外周壁３２と、頂壁３１の外周から突設された摘み部３３とから構成され、押し蓋Ｃに形成された吐出口２２を閉塞している。
なお、密封蓋Ｄは、頂壁３１と外周壁３２との間に開口部を有し、ヒンジ部を介して開閉可能としたヒンジ蓋としてもよい。この場合、ヒンジ部は、摘み部３３と反対側に設けることが好ましい。
【００１９】
次に、本実施例の使用態様と作用効果について説明する。
軟質容器Ａに外枠Ｂおよび押し蓋Ｃを装着するために、味噌等のペースト状の内容物ｅが充填され、密封された軟質容器Ａは、図２に示すように、使用に際して、内容物ｅが充填されていない上部をハサミ等で開封し、開口部７を形成する。
【００２０】
軟質容器Ａが開封されると、外枠Ｂを軟質容器Ａの外側に上方から嵌め、図５に示すように、軟質容器Ａの側方シール部５が外枠Ｂの接合凸部１５の内側に形成されたスリット１６内に収容されるようにセットする。
【００２１】
その後、押し蓋Ｃの４本の脚部２４を軟質容器Ａの開口部７内のコーナー部分に合致するように、ゆっくり挿入する。
これと同時に、外枠Ｂを図６に示すように、外枠Ｂと押し蓋Ｃを上下に移動させることで、押し蓋Ｃの外側面の係合凸部２６と外枠Ｂの内側面の係合凹部１８とが係合し、外枠Ｂの内側面と押し蓋Ｃの外側面との間に軟質容器Ａの上端部を挟み込むことができる。
その際に、外枠Ｂの外枠突部１７と押し蓋Ｃの押し蓋突部２５が対向するように指を掛けると、外枠Ｂと押し蓋Ｃとの結合を容易にすることができる。
【００２２】
軟質容器Ａに外枠Ｂおよび押し蓋Ｃの装着が完了したら、押し蓋Ｃの天板２１を上面から押圧して軟質容器Ａを潰して軟質容器Ａ内の空気を吐出口２２から排出した後、吐出口２２を密封蓋Ｄによって閉塞することにより、内容物ｅに空気が触れるのを抑えることができる。
なお、本実施例では、密封蓋Ｄは、押し蓋Ｃと別体に成形されているが、密封蓋Ｄは、押し蓋Ｃと一体成形されていても構わない。その場合、密封蓋Ｄと押し蓋Ｃは、ヒンジ部を介して開閉可能としたヒンジ蓋構造が好ましい。
【００２３】
軟質容器Ａの内容物ｅを使用するには、図１に示す状態から、押し蓋Ｃに形成された吐出口２２を閉塞する密封蓋Ｄの摘み部３３に指を掛けて密封蓋Ｄを開蓋する。
密封蓋Ｄの開蓋後に、押し蓋Ｃの天板２１を上面から押圧すると、軟質容器Ａが潰れて内容物ｅが吐出口２２から吐出するので、適量吐出したところで、吐出した内容物ｅをお玉等で掬い取って使用することができる。
使用後は、再び、押し蓋Ｃの吐出口２２を密封蓋Ｄにより閉塞して保管すると、内容物ｅに空気が触れることを抑えることができる。
【００２４】
その後、内容物ｅを消費して、軟質容器Ａ内の内容物ｅが減少した場合には、図７に示すように、軟質容器Ａを底シール部６から上方に向けて押圧して内容物ｅを上方へ移動させた後、押し蓋Ｃの天板２１を上面から押圧すれば、内容物ｅを吐出口２２から吐出することができる。
さらに内容物ｅが少なくなった場合には、最終的に、外枠Ｂと押し蓋Ｃとを軟質容器Ａから外して、軟質容器Ａの開口部７から内容物ｅを直接取り出して使用すればよい。
その際に、外枠Ｂの外枠突部１７と押し蓋Ｃの押し蓋突部２５とを互いに遠ざけるように押し広げることにより、外枠Ｂと押し蓋Ｃを容易に外すことができる。
【産業上の利用可能性】
【００２５】
本発明の押し蓋付き軟質容器は、軟質容器を開封して押し蓋を取り付けることにより、押し蓋の上面を押すだけで吐出口から内容物を吐出することができ、この状態で、密封蓋を装着して保管すれば、内容物に空気が触れることが抑えられ、内容物の保存性を高めることができるので、ペースト状の食品などの容器として好適である。
【符号の説明】
【００２６】
Ａ            軟質容器
Ｂ            外枠
Ｃ            押し蓋
Ｄ            密封蓋
ｅ            内容物
１            前面シート
２            後面シート
３            左面シート
４            右面シート
５            側方シール部
６            底シール部
７            開口部
１１            前面枠部
１２            後面枠部
１３            左面枠部
１４            右面枠部
１５            接合凸部
１６            スリット
１７            外枠突部
１８            係合凹部（係合部）
２１            天板
２２            吐出口
２３            側周壁
２４            脚部
２５            押し蓋突部
２６            係合凸部（被係合部）
３１            頂壁
３２            外周壁
３３            摘み部
【図１】
2019131220.tif 000003
【図２】
2019131220.tif 000004
【図３】
2019131220.tif 000005
【図４】
2019131220.tif 000006
【図５】
2019131220.tif 000007
【図６】
2019131220.tif 000008
【図７】
2019131220.tif 000009